(57)【要約】      （修正有）【課題】ケース内部に楽器が入っていることをケース外側から視認でき、ケース内部の楽器の状態をケース外側から常時確認できるようにした可搬型楽器ケースを提供する。【解決手段】少なくとも一つの取っ手１２が設けられた可搬型楽器ケース１０Ａであって、楽器１４が収容される収容部１６を備え、本体側面部１８と本体背面部２０とが形成された不透明なケース本体部２２と、ケース本体部２２を閉塞せしめるための合成樹脂製の透明なケース蓋体部２４とを有する。【選択図】図１
2015152625.tif 000002
【特許請求の範囲】
【請求項１】
少なくとも一つの取っ手が設けられた可搬型楽器ケースであって、
楽器が収容される収容部を備え、本体側面部と本体背面部とが形成された不透明なケース本体部と、
前記ケース本体部を閉塞せしめるための合成樹脂製の透明なケース蓋体部と、を有してなることを特徴とする可搬型楽器ケース。
【請求項２】
前記ケース蓋体部は、蓋体側面部と蓋体上面部とが形成され、前記蓋体側面部と蓋体上面部との間は曲面とされてなることを特徴とする請求項１記載の可搬型楽器ケース。
【請求項３】
前記ケース本体部と前記ケース蓋体部とが、前記本体側面部と前記蓋体側面部に設けられた閉塞具によって、閉塞せしめられることを特徴とする請求項２記載の可搬型楽器ケース。
【請求項４】
前記ケース本体部と前記ケース蓋体部とが、収容される楽器の略外形に沿った形状を有することを特徴とする請求項１〜３いずれか１項記載の可搬型楽器ケース。
【請求項５】
前記ケース蓋体部が、前記ケース蓋体部の長手方向中央部に膨出部が形成されてなることを特徴とする請求項１〜４いずれか１項記載の可搬型楽器ケース。
【請求項６】
前記可搬型楽器ケースが可搬型ギターケースであり、前記膨出部が三味線のバチ状とされてなり、前記可搬型楽器ケースの下端に向かって前記膨出部が漸次径大とされてなることを特徴とする請求項５記載の可搬型楽器ケース。
【発明の詳細な説明】
【技術分野】
【０００１】
本発明は、ケースの蓋体部が透明とされ、ケース内部が視認可能とされた可搬型楽器ケースに関する。
【背景技術】
【０００２】
従来、可搬型の楽器ケースとしては、例えば特許文献１に記載されたような楽器ケースがある。このような可搬型の楽器ケースは、木材や布、或いはグラスファイバーや合成樹脂などで作製されるが、楽器の保護と運搬を目的としているため、ケース外側からはケース内部を視認することができない。
【０００３】
しかしながら、ケース内部に楽器が入っていることをケース外側から視認できないと、ちゃんと楽器が入っているかどうか、ケースをその都度開けて確認する必要がある。
【０００４】
また、例えば自宅や楽器店などで複数の楽器を管理する場合には、ケース内部が視認できないと、中にどの楽器が入っているのか、その都度ケースの蓋を開けて確認する必要がある。
【０００５】
さらに、従来の楽器ケースでは、ケースを開けてみるまで、ケースの中で楽器がどんな状態となっているのかがわからないという問題もあった。
【先行技術文献】
【特許文献】
【０００６】
【特許文献１】特開２００６−１７１４３６号公報
【発明の概要】
【発明が解決しようとする課題】
【０００７】
本発明は、ケース内部に楽器が入っていることをケース外側から視認でき、ケース内部の楽器の状態をケース外側から常時確認できるようにした可搬型楽器ケースを提供することを目的とする。
【課題を解決するための手段】
【０００８】
上記課題を解決するため、本発明の可搬型楽器ケースは、少なくとも一つの取っ手が設けられた可搬型楽器ケースであって、楽器が収容される収容部を備え、本体側面部と本体背面部とが形成された不透明なケース本体部と、  前記ケース本体部を閉塞せしめるための合成樹脂製の透明なケース蓋体部と、を有してなることを特徴とする。
【０００９】
本発明では、ケース蓋体部の全面が透明とされているため、ケース内部が視認可能とされている。一方、ケース本体部は透明とはせずに従来のケースと同様の材質で作製する。楽器ケース内には、楽器の固定や緩衝のためのクッション部材が設けられていることから、ケース本体部までを透明としてしまうと内部のクッション部材が丸見えとなってしまい、意匠的に美しくなくなってしまうおそれがあるからである。
【００１０】
本発明では、前記ケース蓋体部を透明とするために合成樹脂を使用する。透明なガラスなどをケース蓋体部に使用すると、運搬時に破損の恐れがあるし、重量が重くなってしまうからである。
【００１１】
合成樹脂としては、ポリ塩化ビニル樹脂、アクリル樹脂、エポキシ樹脂、ポリエチレンテレフタレート樹脂等、公知の種々の透明な合成樹脂が使用できる。
【００１２】
また、前記ケース蓋体部は、蓋体側面部と蓋体上面部とが形成され、前記蓋体側面部と蓋体上面部との間は曲面とされてなるのが好適である。前記蓋体側面部と蓋体上面部との間を曲面とすることで、強度が増すからである。本発明は、可搬型の楽器ケースであるため、ある程度の強度を有さないと、ケース蓋体部をぶつけた際などにケース蓋体部がへこんだりしてしまうからである。
【００１３】
前記ケース本体部と前記ケース蓋体部とが、前記本体側面部と前記蓋体側面部に設けられた閉塞具によって、閉塞せしめられるのが好適である。閉塞具としては、閉塞金具が好ましく、例えば引掛け式のパチン錠などが好適である。
【００１４】
前記ケース本体部と前記ケース蓋体部とが、収容される楽器の略外形に沿った形状を有するのが好適である。例えば、楽器がギターの場合、ギターの略外形に沿った形状を有する楽器ケースとするのが好適である。
【００１５】
前記ケース蓋体部が、前記ケース蓋体部の長手方向中央部に膨出部が形成されてなるのが好適である。前記ケース蓋体部の長手方向中央部に膨出部を形成することで、前記ケース蓋体部の強度が増すからである。
【００１６】
前記可搬型楽器ケースが可搬型ギターケースであり、前記膨出部が三味線のバチ状とされてなり、前記可搬型楽器ケースの下端に向かって前記膨出部が漸次径大とされてなるのが好ましい。前記可搬型楽器ケースが可搬型ギターケースの場合には、前記膨出部を上記のように形成することで、前記ケース蓋体部の強度が増すからである。
【００１７】
また、本発明の楽器ケースでは、運搬時でも、ケース外側からケース内部を視認できるため、ケース内部に温度計及び湿度計を入れておけば、ケース内部で楽器がどのように収容されているかを確認することができるだけでなく、ケース内部の温度及び湿度を常時知ることができる。そして、ケース内部の温度に応じて温めたり冷やしたりでき、またケース内部の湿度に応じて乾燥させたり（例えば乾燥剤をケース内部に入れる）湿気を与えたり（濡れているものをケース内部に入れる）することができる。このようにして、本発明の楽器ケースでは、運搬しているときでも展示しているときでも、或いは自宅や倉庫に収納しているときであっても、常時、楽器ケース内部の温度及び湿度を適切に管理することができる。
【発明の効果】
【００１８】
本発明によれば、ケース内部に楽器が入っていることをケース外側から視認でき、ケース内部の楽器の状態をケース外側から常時確認できるようにした可搬型楽器ケースを提供することができるという著大な効果を奏する。
【図面の簡単な説明】
【００１９】
【図１】本発明の可搬型楽器ケースの一つの実施の形態を示す斜視図である。
【図２】図１の可搬型楽器ケースのケース蓋体部を開けた状態を示す斜視図である。
【図３】図１の可搬型楽器ケースの底面図である。
【図４】図１の可搬型楽器ケースの側面図である。
【図５】図１の可搬型楽器ケースを背負っている状態を示す概略図である。
【図６】図１の可搬型楽器ケースの正面図である。
【図７】本発明の可搬型楽器ケースの他の実施の形態を示す斜視図であって、（ａ）がトランペットケース、（ｂ）がアルトサクソフォンケース、（ｃ）がフルートケース、（ｄ）がテナーサクソフォンケースを示す。
【発明を実施するための形態】
【００２０】
以下に本発明の実施の形態を説明するが、これら実施の形態は例示的に示されるもので、本発明の技術思想から逸脱しない限り種々の変形が可能なことはいうまでもない。なお、同一部材は同一符号で表される。
【００２１】
本発明の可搬型楽器ケースの一つの実施の形態を図１〜６に基づいて説明する。
【００２２】
図１〜６において、符号１０Ａは可搬型楽器ケースの一つの実施の形態を示す。可搬型楽器ケース１０Ａはギターを入れるためのギターケースである。
【００２３】
可搬型楽器ケース１０Ａは、少なくとも一つの取っ手１２が設けられた可搬型楽器ケースであって、楽器１４が収容される収容部１６を備え、本体側面部１８と本体背面部２０とが形成された不透明なケース本体部２２と、前記ケース本体部２２を閉塞せしめるための合成樹脂製の透明なケース蓋体部２４と、を有している。
【００２４】
前記ケース蓋体部２４は、図１〜４によく示される如く、蓋体側面部２６と蓋体上面部２８とが形成され、前記蓋体側面部２６と蓋体上面部２８との間は曲面Ｒとされている。ケース蓋体部２４はその全面がポリ塩化ビニルで作製されており、透明である。ケース本体部２２は、グラスファイバー製であり、不透明である。
【００２５】
前記ケース本体部２２と前記ケース蓋体部２４とは、前記本体側面部１８と前記蓋体側面部２６に設けられた閉塞具３０によって、閉塞せしめられる。閉塞具３０は、図示例では、図２及び図４によく示される如く、環状部３２を台座３４に引掛ける引掛け式のパチン錠の例を示した。
【００２６】
また、前記本体側面部１８と前記蓋体側面部２６には蝶番３１が設けられており、前記ケース蓋体部２４が開閉自在とされている。
【００２７】
また、図１〜６の例では、可搬型楽器ケース１０Ａはギターケースの例を示したが、前記ケース本体部２２と前記ケース蓋体部２４とが、収容される楽器１４の略外形に沿った形状を有している。
【００２８】
前記ケース蓋体部２４は、前記ケース蓋体部２４の長手方向中央部に膨出部３６が形成されている。前記膨出部３６は、図１，２，４〜６によく示される如く、三味線のバチ状とされてなり、前記可搬型楽器ケース１０Ａの下端３８に向かって前記膨出部３６が漸次径大とされている。
【００２９】
前記ケース本体部２２には、図２によく示される如く、温湿度計４０が内部に取り外し可能に装着されており、前記ケース蓋体部２４を閉じた状態で、外側から内部の温度及び湿度を知ることが可能とされている。
【００３０】
また、可搬型楽器ケース１０Ａはギターケースであるので、前記収容部１６は、ギターのネックを抑えるネック固定部材４２とギターのボディの下端を抑えるボディ固定部材４４とが設けられており、前記温湿度計４０は前記ボディ固定部材４４に面ファスナーで装着されている。ネック固定部材４２は、面ファスナーでネックを固定できるようになっている。ボディ固定部材４４は、収容部１６に収容されたボディの下端を抑えられるように収容部１６から突出して設けられている。
【００３１】
また、可搬型楽器ケース１０Ａの本体側面部１８と蓋体側面部２６には、図３によく示されるような、載置時のクッションとなるクッション突起４６も取り付けられている。
【００３２】
可搬型楽器ケース１０Ａの本体背面部２０には、金具が取り付けられており、図５に示すように、ベルト４８を装着して背負うことが可能とされている。
【００３３】
このようにして、可搬型楽器ケース１０Ａは、ケース内部に楽器１４が入っていることをケース外側から視認でき、ケース内部の楽器１４の状態をケース外側から常時確認できる。
【００３４】
また、図示した可搬型楽器ケース１０Ａの例では、前記温湿度計４０を備えており、ケース外側からケース内部の温度及び湿度を常時知ることができるので、運搬しているときでも展示しているときでも、或いは自宅や倉庫に収納しているときであっても、常時、楽器ケース内部の温度及び湿度を適切に管理することができる。
【００３５】
次に、本発明の可搬型楽器ケースの他の実施の形態を図７に示す。図７（ａ）に本発明の可搬型楽器ケース１０Ｂとしてトランペットケースの例を示す。
【００３６】
図７（ａ）において、可搬型楽器ケース１０Ｂは、少なくとも一つの取っ手５２が設けられた可搬型楽器ケースであって、楽器５４が収容される収容部５６を備え、本体側面部５８と本体背面部６０とが形成された不透明なケース本体部６２と、前記ケース本体部６２を閉塞せしめるための合成樹脂製の透明なケース蓋体部６４と、を有している。
【００３７】
前記ケース蓋体部６４は、蓋体側面部６６と蓋体上面部６８とが形成され、前記蓋体側面部６６と蓋体上面部６８との間は曲面Ｒとされている。ケース蓋体部６４はその全面がポリ塩化ビニルで作製されており、透明である。ケース本体部６２は、グラスファイバー製であり、不透明である。
【００３８】
前記ケース本体部６２と前記ケース蓋体部６４とは、前記本体側面部５８と前記蓋体側面部６６に設けられた閉塞具７０によって、閉塞せしめられる。閉塞具７０は、図示例では、環状部を台座に引掛ける引掛け式のパチン錠の例を示した。また、前記本体側面部５８と前記蓋体側面部６６には蝶番が設けられており、前記ケース蓋体部６４が開閉自在とされている。
【００３９】
このようにして、可搬型楽器ケース１０Ｂは、ケース内部に楽器５４が入っていることをケース外側から視認でき、ケース内部の楽器５４の状態をケース外側から常時確認できる。
【００４０】
図７（ｂ）に本発明の可搬型楽器ケース１０Ｃとしてアルトサクソフォンケースの例を示す。
【００４１】
図７（ｂ）において、可搬型楽器ケース１０Ｃは、少なくとも一つの取っ手８２が設けられた可搬型楽器ケースであって、楽器８４が収容される収容部８６を備え、本体側面部８８と本体背面部９０とが形成された不透明なケース本体部９２と、前記ケース本体部９２を閉塞せしめるための合成樹脂製の透明なケース蓋体部９４と、を有している。
【００４２】
前記ケース蓋体部９４は、蓋体側面部９６と蓋体上面部９８とが形成され、前記蓋体側面部９６と蓋体上面部９８との間は曲面Ｒとされている。ケース蓋体部９４はその全面がポリ塩化ビニルで作製されており、透明である。ケース本体部９２は、グラスファイバー製であり、不透明である。
【００４３】
前記ケース本体部９２と前記ケース蓋体部９４とは、前記本体側面部８８と前記蓋体側面部９６に設けられた閉塞具１００によって、閉塞せしめられる。閉塞具１００は、図示例では、環状部を台座に引掛ける引掛け式のパチン錠の例を示した。また、前記本体側面部８８と前記蓋体側面部９６には蝶番が設けられており、前記ケース蓋体部９４が開閉自在とされている。
【００４４】
このようにして、可搬型楽器ケース１０Ｃは、ケース内部に楽器８４が入っていることをケース外側から視認でき、ケース内部の楽器８４の状態をケース外側から常時確認できる。
【００４５】
図７（ｃ）に本発明の可搬型楽器ケース１０Ｄとしてフルートケースの例を示す。
【００４６】
図７（ｃ）において、可搬型楽器ケース１０Ｄは、少なくとも一つの取っ手１１２が設けられた可搬型楽器ケースであって、楽器１１４が収容される収容部１１６を備え、本体側面部１１８と本体背面部１２０とが形成された不透明なケース本体部１２２と、前記ケース本体部１２２を閉塞せしめるための合成樹脂製の透明なケース蓋体部１２４と、を有している。
【００４７】
前記ケース蓋体部１２４は、蓋体側面部１２６と蓋体上面部１２８とが形成され、前記蓋体側面部１２６と蓋体上面部１２８との間は曲面Ｒとされている。ケース蓋体部１２４はその全面がポリ塩化ビニルで作製されており、透明である。ケース本体部１２２は、グラスファイバー製であり、不透明である。
【００４８】
前記ケース本体部１２２と前記ケース蓋体部１２４とは、前記本体側面部１１８と前記蓋体側面部１２６に設けられた閉塞具１３０によって、閉塞せしめられる。閉塞具１３０は、図示例では、環状部を台座に引掛ける引掛け式のパチン錠の例を示した。また、前記本体側面部１１８と前記蓋体側面部１２６には蝶番が設けられており、前記ケース蓋体部１２４が開閉自在とされている。
【００４９】
このようにして、可搬型楽器ケース１０Ｄは、ケース内部に楽器１１４が入っていることをケース外側から視認でき、ケース内部の楽器１１４の状態をケース外側から常時確認できる。
【００５０】
図７（ｄ）に本発明の可搬型楽器ケース１０Ｅとしてテナーサクソフォンケースの例を示す。
【００５１】
図７（ｄ）において、可搬型楽器ケース１０Ｅは、少なくとも一つの取っ手１４２が設けられた可搬型楽器ケースであって、楽器１４４が収容される収容部１４６を備え、本体側面部１４８と本体背面部１５０とが形成された不透明なケース本体部１５２と、前記ケース本体部１５２を閉塞せしめるための合成樹脂製の透明なケース蓋体部１５４と、を有している。
【００５２】
前記ケース蓋体部１５４は、蓋体側面部１５６と蓋体上面部１５８とが形成され、前記蓋体側面部１５６と蓋体上面部１５８との間は曲面Ｒとされている。ケース蓋体部１５４はその全面がポリ塩化ビニルで作製されており、透明である。ケース本体部１５２は、グラスファイバー製であり、不透明である。
【００５３】
前記ケース本体部１５２と前記ケース蓋体部１５４とは、前記本体側面部１４８と前記蓋体側面部１５６に設けられた閉塞具１６０によって、閉塞せしめられる。閉塞具１６０は、図示例では、環状部を台座に引掛ける引掛け式のパチン錠の例を示した。また、前記本体側面部１４８と前記蓋体側面部１５６には蝶番が設けられており、前記ケース蓋体部１５４が開閉自在とされている。
【００５４】
このようにして、可搬型楽器ケース１０Ｅは、ケース内部に楽器１４４が入っていることをケース外側から視認でき、ケース内部の楽器１４４の状態をケース外側から常時確認できる。
【符号の説明】
【００５５】
１０Ａ，１０Ｂ，１０Ｃ，１０Ｄ，１０Ｅ：本発明の可搬型楽器ケース、１２，５２，８２，１１２，１４２：取っ手、１４，５４，８４，１１４，１４４：楽器、１６，５６，８６，１１６，１４６：収容部、１８，５８，８８，１１８，１４８：本体側面部、２０，６０，９０，１２０，１５０：本体背面部、２２，６２，９２，１２２，１５２：ケース本体部、２４，６４，９４，１２４，１５４：ケース蓋体部、２６，６６，９６，１２６，１５６：蓋体側面部、２８，６８，９８，１２８，１５８：蓋体上面部、３０，７０，１００，１３０，１６０：閉塞具、３１：蝶番、３２：環状部、３４：台座、３６：膨出部、３８：下端、４０：温湿度計、４２：ネック固定部材、４４：ボディ固定部材、４６：クッション突起、４８：ベルト、Ｒ：曲面。
【図１】
2015152625.tif 000003
【図２】
2015152625.tif 000004
【図３】
2015152625.tif 000005
【図４】
2015152625.tif 000006
【図５】
2015152625.tif 000007
【図６】
2015152625.tif 000008
【図７】
2015152625.tif 000009